(57)【要約】【課題】消費電力の増加および抵抗素子数の増加を抑制しながら、入力操作が容易な入力回路を提供する。【解決手段】この入力回路１００は、抵抗素子１１、１２および１３を含む第１回路部１０と、第１回路部１０に対して並列的に設けられ、抵抗素子２１および２２を含む第２回路部２０と、第１回路部１０のノードＮ１〜Ｎ３と、第２回路部２０のノードＮ４〜Ｎ６とを接続することにより電源１１０からグランド１２０に至る互いに異なる複数の電気経路を個別に形成可能であるとともに、各々が通常状態で非接続状態となるように構成された複数のスイッチ３０ａ〜３０ｉと、複数のスイッチのうちの１つのスイッチが接続されることにより所定の電気経路が形成された場合に所定の電気経路に対応する第１回路部１０の抵抗素子および第２回路部２０の抵抗素子により分圧された電圧を出力する出力端子４０とを備える。【選択図】図１
2011023252.tif 000002
【特許請求の範囲】
【請求項１】
電源に接続され、少なくとも１つの抵抗素子を含む第１回路部と、
前記第１回路部に対して並列的に設けられ、接地端子に接続される少なくとも１つの抵抗素子を含む第２回路部と、
前記第１回路部の前記抵抗素子の一方端子および他方端子の一方と前記第２回路部の前記抵抗素子の一方端子および他方端子の一方とを接続することにより前記電源から前記接地端子に至る互いに異なる複数の電気経路を個別に形成可能であるとともに、各々が通常状態で非接続状態となるように構成された複数のスイッチと、
前記電源から前記接地端子に至る経路上に配置され、前記複数のスイッチのうちの１つのスイッチが接続されることにより所定の前記電気経路が形成された場合に前記所定の電気経路に対応する前記第１回路部の抵抗素子および前記第２回路部の抵抗素子により分圧された電圧を出力する出力端子とを備えた、入力回路。
【請求項２】
前記複数のスイッチは、それぞれ、一組の固定接点および可動接点を含むとともに、各々の組の可動接点を対応する固定接点に接続することにより接続状態になるように構成された個別スイッチであり、
前記複数の個別スイッチのうちの１つの前記個別スイッチの可動接点が対応する前記固定接点に接続されることにより所定の前記電気経路が形成される場合に、前記所定の電気経路に対応する前記第１回路部および前記第２回路部のそれぞれの前記抵抗素子により前記電源の電圧が分圧されることよって、前記１つの前記個別スイッチに対応した電圧が前記出力端子より出力されるように構成されている、請求項１に記載の入力回路。
【請求項３】
前記個別スイッチは、押下げスイッチを含む、請求項２に記載の入力回路。
【請求項４】
前記抵抗素子は、前記出力端子に対して前記電源側に設けられる第１抵抗素子と、前記出力端子に対して前記接地端子側に設けられる第２抵抗素子とを含み、
前記複数のスイッチのそれぞれが接続されることにより個別に形成される電気経路上に配置された前記第２抵抗素子の組み合わせをそれぞれ変更することにより、接続状態にされる前記スイッチ毎に、接続されるそれぞれの電気経路上に配置された前記第２抵抗素子の合成抵抗値が互いに異なるように構成されている、請求項１〜３のいずれか１項に記載の入力回路。
【請求項５】
前記抵抗素子は、前記出力端子に対して前記電源側に設けられる第１抵抗素子と、前記出力端子に対して前記接地端子側に設けられる第２抵抗素子とを含み、
前記第１回路部の全ての前記第２抵抗素子のそれぞれの一方端子および他方端子は、前記第２回路部の全ての前記第２抵抗素子の一方端子および他方端子に対して、前記複数のスイッチによりそれぞれ個別に接続可能なように構成されている、請求項１〜４のいずれか１項に記載の入力回路。
【請求項６】
前記第１回路部および前記第２回路部は、それぞれ複数の第２抵抗素子を含み、
前記第１回路部の前記第２抵抗素子の数と、前記第２回路部の前記第２抵抗素子の数との差は、０または１である、請求項４または５に記載の入力回路。
【請求項７】
前記出力端子に接続されるとともに、前記出力端子から出力される電圧の大きさに基づいて、前記複数のスイッチのうちのいずれのスイッチが接続状態にされたかを判定する判定部をさらに備える、請求項１〜６のいずれか１項に記載の入力回路。
【発明の詳細な説明】
【技術分野】
【０００１】
この発明は、入力回路に関し、特に、複数のスイッチを備えた入力回路に関する。
【背景技術】
【０００２】
従来、複数のスイッチを備えた入力回路が知られている（たとえば、特許文献１〜３参照）。
【０００３】
上記特許文献１には、電源とグランド（接地端子）との間に、電源側から第１抵抗素子〜第５抵抗素子の５つの抵抗素子を直列接続した入力回路が開示されている。この入力回路の第３抵抗素子と第４抵抗素子との間には、分圧された電圧を出力する出力端子が設けられている。また、この入力回路には、第１抵抗素子および第２抵抗素子に対して並列接続された第１スイッチと、第２抵抗素子および第３抵抗素子に対して並列接続された第２スイッチと、第４抵抗素子に対して並列接続された第３スイッチとが設けられている。この入力回路は、これらの第１〜第３スイッチを全てオフにした場合（１通り）、第１〜第３スイッチを別個にオンにした場合（３通り）、第１〜第３スイッチを組み合わせてオンにした場合（３通り）、および、第１〜第３スイッチを全てオンした場合（１通り）のそれぞれの場合において、出力端子の電圧が互い異なるように構成されている。これにより、上記特許文献１による入力回路は、５つの抵抗素子と、３つのスイッチの組み合わせとによって合計８通りのそれぞれ異なる出力電圧を得ることが可能なように構成されている。
【０００４】
また、上記特許文献２には、電源とグランド（接地端子）との間に直列接続された４つの第１抵抗素子に選択的に接続される第１可動接点からなる第１スイッチ部と、４つの第２抵抗素子に選択的に接続される第２可動接点からなる第２スイッチ部とを備えた入力回路が開示されている。第１スイッチ部の第１可動接点は、第１スイッチ部をスライドさせることによって４つの第１抵抗素子のいずれかの端子に選択的に接続される。すなわち、第１可動接点は、４つの第１抵抗素子に対して共通に使用可能なように１つ設けられている。このため、第１可動接点には、接続位置を切り替えることによって、４つの第１抵抗素子のうちの１つまたは複数によって分圧された４通りの電圧が印加される。第２スイッチ部の４つの第２抵抗素子には、この第１可動接点に印加された電圧が入力されるように構成されている。第２スイッチ部の第２可動接点は、第２スイッチ部をスライドさせることによって４つの第２抵抗素子の電源側端子のいずれかに選択的に接続される。すなわち、第２可動接点は、４つの第２抵抗素子に対して共通に使用可能なように１つ設けられている。このため、第２可動接点には、接続位置を切り替えることによって、４つの第２抵抗素子のうちの１つまたは複数によって分圧された４通りの電圧が印加される。この結果、第１スイッチ部の第１可動接点の位置（４通り）と第２スイッチ部の第２可動接点の位置（４通り）とを組み合わせて、４通り（第１スイッチ部の第１可動接点の接続位置）×４通り（第２スイッチ部の第２可動接点の接続位置）＝１６通りの電圧が第２スイッチ部の第２可動接点から出力されるように構成されている。
【０００５】
また、上記特許文献３には、電源とグランド（接地端子）との間に直列接続された５つの抵抗素子と、各抵抗素子の電源側端子にそれぞれ接続された５つのスイッチと、５つのスイッチに共通に接続された電圧検出回路とを備えた入力回路が開示されている。５つのスイッチのうちのいずれかが接続状態にされると、スイッチの接続位置に応じて１または複数の抵抗素子によって分圧された電圧が電圧検出回路に入力されるように構成されている。すなわち、上記特許文献３による入力回路では、直列接続された５つの抵抗素子にそれぞれスイッチを設け、抵抗素子により分圧される電圧の取り出し位置を変更することによって５通りの電圧を電圧検出回路に出力するように構成されている。
【先行技術文献】
【特許文献】
【０００６】
【特許文献１】特開平１０−１２０８０号公報
【特許文献２】実開平５−４２４０号公報
【特許文献３】特開平９−４５１７１号公報
【発明の概要】
【発明が解決しようとする課題】
【０００７】
しかしながら、上記特許文献１に開示された入力回路では、３つのスイッチのオン／オフの組み合わせによって、５つの抵抗素子を用いて８通りの電圧を出力することが可能である一方、第１〜第３スイッチがオン／オフいずれの状態にあっても電源からグランドに至る電気経路が形成された状態にあるので、入力回路には電流が流れ続ける。このため、消費電力が増加してしまうという問題点がある。また、３つのスイッチのオン／オフの組み合わせによって出力端子から出力される出力電圧を変更するので、所望の出力電圧を得るためには３つのスイッチのオン／オフが所定の組み合わせになるように各スイッチをそれぞれ切り替える必要がある。このため、所望の出力電圧を出力させる操作入力を行うのに、最大で３回の入力操作（スイッチをオンまたはオフする操作）が必要となり、入力操作が煩雑であるという問題点がある。
【０００８】
また、上記特許文献２に開示された入力回路では、４通りに可変の第１スイッチ部および第２スイッチ部（第１可動接点および第２可動接点）の組み合わせによって、合計８つの抵抗素子を用いて１６通りの電圧を出力することが可能である一方、第１スイッチ部の第１可動接点および第２スイッチ部の第２可動接点がいずれの接続位置にある場合でも電源からグランドに至る電気経路が形成された状態にあるので、入力回路には電流が流れ続ける。このため、消費電力が増加してしまうという問題点がある。また、第１スイッチ部の第１可動接点の接続位置と第２スイッチ部の第２可動接点の接続位置との組み合わせによって出力電圧を変更するので、所望の出力電圧を得るためには２つのスイッチ部の各可動接点の接続位置が所定の組み合わせになるように２つのスイッチ部の各々の切り替え操作を行う必要がある。このため、所望の出力電圧を出力させる操作入力を行うために最大で２回の入力操作が必要となり、入力操作が煩雑であるという問題点がある。
【０００９】
また、上記特許文献３に開示された入力回路では、５つのスイッチのいずれかを接続状態にすることによって、５つの抵抗素子を用いて５通りの電圧を出力することが可能である一方、５つのスイッチ全てをオフ（非接続状態）にした場合でも電源からグランドに至る電気経路が形成された状態にあるので、入力回路には電流が流れ続ける。このため、消費電力が増加してしまうという問題点がある。また、５つの抵抗素子の電源側端子にそれぞれスイッチを設け、抵抗素子により分圧される電圧の取り出し位置を変更するので、抵抗素子数と同数のスイッチを設けることしかできない。このため、入力回路に必要なスイッチの数の分、抵抗素子数が増加してしまうという問題点がある。
【００１０】
この発明は、上記のような課題を解決するためになされたものであり、この発明の１つの目的は、消費電力の増加および抵抗素子数の増加を抑制しながら、入力操作が容易な入力回路を提供することである。
【課題を解決するための手段および発明の効果】
【００１１】
この発明の一の局面による入力回路は、電源に接続され、少なくとも１つの抵抗素子を含む第１回路部と、第１回路部に対して並列的に設けられ、接地端子に接続される少なくとも１つの抵抗素子を含む第２回路部と、第１回路部の抵抗素子の一方端子および他方端子の一方と第２回路部の抵抗素子の一方端子および他方端子の一方とを接続することにより電源から接地端子に至る互いに異なる複数の電気経路を個別に形成可能であるとともに、各々が通常状態で非接続状態となるように構成された複数のスイッチと、電源から接地端子に至る経路上に配置され、複数のスイッチのうちの１つのスイッチが接続されることにより所定の電気経路が形成された場合に所定の電気経路に対応する第１回路部の抵抗素子および第２回路部の抵抗素子により分圧された電圧を出力する出力端子とを備える。
【００１２】
この発明の一の局面による入力回路では、上記のように、電源に接続され、少なくとも１つの抵抗素子を含む第１回路部と、第１回路部に対して並列的に設けられ、接地端子に接続される少なくとも１つの抵抗素子を含む第２回路部とを設けるとともに、第１回路部の抵抗素子の一方端子および他方端子の一方と第２回路部の抵抗素子の一方端子および他方端子の一方とを接続することにより電源から接地端子に至る互いに異なる複数の電気経路を複数のスイッチにより個別に形成する。このように構成することによって、複数のスイッチの内のいずれか１つを接続状態にした場合に、第１回路部においてスイッチの接続位置よりも電源側に配置された抵抗素子と、第１回路部に対して並列的に設けられた第２回路部においてスイッチの接続位置よりもグランド側に配置された抵抗素子とを通る所定の電気経路が個別に形成される。この結果、入力回路全体としては、いずれかのスイッチを接続状態にすることによって電源電圧を分圧するための抵抗素子の数と、抵抗素子の組み合わせとを異ならせることができる。これにより、少ない抵抗素子数でも、抵抗素子の抵抗値の組み合わせを適切に設定することにより、これらの抵抗素子を組み合わせて多くのパターンの電圧（分圧）を出力させることができる。また、１つのスイッチを接続状態（オン状態）にすることによって互いに異なる１つの電気経路が定まるので、複数のスイッチのオン／オフを組み合わせることがない分、入力操作が容易になる。また、複数のスイッチの各々を、通常状態で非接続状態となるように構成することによって、複数のスイッチにより個別に接続された第１回路部と第２回路部とが通常状態では電気的に接続されることがない。この結果、スイッチの接続時にのみ電流が流れるので、消費電力が増加するのを抑制することができる。
【００１３】
上記一の局面による入力回路において、好ましくは、複数のスイッチは、それぞれ、一組の固定接点および可動接点を含むとともに、各々の組の可動接点を対応する固定接点に接続することにより接続状態になるように構成された個別スイッチであり、複数の個別スイッチのうちの１つの個別スイッチの可動接点が対応する固定接点に接続されることにより所定の電気経路が形成される場合に、所定の電気経路に対応する第１回路部および第２回路部のそれぞれの抵抗素子により電源の電圧が分圧されることよって、１つの個別スイッチに対応した電圧が出力端子より出力されるように構成されている。このように構成すれば、出力端子の電圧を検出することによって、どの個別スイッチがオン状態（接続状態）にされたのかを容易に判定することができる。
【００１４】
上記複数のスイッチがそれぞれ個別スイッチである構成において、好ましくは、個別スイッチは、押下げスイッチを含む。このように構成すれば、一組の固定接点および可動接点を含むとともに、各々の組の可動接点を対応する固定接点に接続することにより接続状態になるように構成され、かつ、通常状態で非接続状態となるように構成された個別スイッチを容易に構成することができる。
【００１５】
上記一の局面による入力回路において、好ましくは、抵抗素子は、出力端子に対して電源側に設けられる第１抵抗素子と、出力端子に対して接地端子側に設けられる第２抵抗素子とを含み、複数のスイッチのそれぞれが接続されることにより個別に形成される電気経路上に配置された第２抵抗素子の組み合わせをそれぞれ変更することにより、接続状態にされるスイッチ毎に、接続されるそれぞれの電気経路上に配置された第２抵抗素子の合成抵抗値が互いに異なるように構成されている。このように構成すれば、複数のスイッチのそれぞれによって個別に形成される電気経路毎に、出力端子に対して接地端子側の合成抵抗値を変更することができる。いずれか１つのスイッチによって電源側から接地側まで第１抵抗素子および第２抵抗素子が接続された電気経路が形成されると、出力端子からの出力電圧は第１抵抗素子の抵抗値と第１回路部および第２回路部のそれぞれの第２抵抗素子の合成抵抗値との比によって決定される。この結果、出力端子に対して接地端子側の合成抵抗値を変更することにより複数のスイッチのそれぞれについて出力端子から異なる大きさの電圧が出力されることに基づいて、１つ１つのスイッチをそれぞれ個別に判定することができる。
【００１６】
上記一の局面による入力回路において、好ましくは、抵抗素子は、出力端子に対して電源側に設けられる第１抵抗素子と、出力端子に対して接地端子側に設けられる第２抵抗素子とを含み、第１回路部の全ての第２抵抗素子のそれぞれの一方端子および他方端子は、第２回路部の全ての第２抵抗素子の一方端子および他方端子に対して、複数のスイッチによりそれぞれ個別に接続可能なように構成されている。このように構成すれば、第１回路部の第２抵抗素子と第２回路部の第２抵抗素子との組み合わせ可能な全ての組み合わせを、複数のスイッチにより個別に接続されるそれぞれの電気経路の切り替えによって構成することができる。これにより、容易に、少ない抵抗素子数でも多くのパターンの電圧（分圧）を出力することができる。
【００１７】
上記抵抗素子が第１抵抗素子および第２抵抗素子を含む構成において、好ましくは、第１回路部および第２回路部は、それぞれ複数の第２抵抗素子を含み、第１回路部の第２抵抗素子の数と、第２回路部の第２抵抗素子の数との差は、０または１である。このように構成すれば、第１回路部の第２抵抗素子の数と第２回路部の第２抵抗素子の数との差が２より大きい場合に比べて、各第２抵抗素子の一方端子および他方端子を一対ずつそれぞれ個別に接続することにより形成される電気経路上に配置可能な第２抵抗素子の組み合わせをより多くすることができる。これにより、各第２抵抗素子の抵抗値をそれぞれ適切に設定することによって、電気経路上に配置された第２抵抗素子の組み合わせによってそれぞれ異なる大きさの電圧を出力端子から出力させることができる。すなわち、異なる大きさの電圧を出力端子から出力させることにより判定可能なスイッチの数を、より多くすることができる。
【００１８】
上記一の局面による入力回路において、好ましくは、出力端子に接続されるとともに、出力端子から出力される電圧の大きさに基づいて、複数のスイッチのうちのいずれのスイッチが接続状態にされたかを判定する判定部をさらに備える。このように構成すれば、上記の構成によって複数のスイッチのそれぞれにより互いに異なる大きさの電圧を出力端子から出力するように構成した場合に、いずれのスイッチがオン状態にされたか（接続状態にされたか）を判定部によって容易に判定することができる。
【図面の簡単な説明】
【００１９】
【図１】本発明の第１実施形態による入力回路を示した回路図である。
【図２】図１に示した入力回路の各スイッチと出力電圧との関係を示した表である。
【図３】本発明の第２実施形態による入力回路を示した回路図である。
【図４】図３に示した入力回路の各スイッチと出力電圧との関係を示した表である。
【図５】本発明の第１実施形態の変形例による入力回路を示した回路図である。
【図６】本発明の第２実施形態の変形例による入力回路を示した回路図である。
【発明を実施するための形態】
【００２０】
以下、本発明の実施形態を図面に基づいて説明する。
【００２１】
（第１実施形態）
まず、図１および図２を参照して、本発明の第１実施形態による入力回路１００の構成について説明する。第１実施形態では、本発明の入力回路１００を、たとえばＤＶＤレコーダやデジタルテレビ受信機の操作部に設けられる各種の操作キー（電源ボタン、音量調節キー、チャンネル操作キー、録画キーおよび再生キーなど）の入力を受け付ける入力回路に適用した例について説明する。
【００２２】
本発明の第１実施形態による入力回路１００は、図１に示すように、第１回路部１０（破線部参照）と、第２回路部２０（破線部参照）と、第１回路部１０および第２回路部２０を接続する９個のスイッチ３０ａ〜３０ｉと、各スイッチ３０ａ〜３０ｉに応じた異なる９種類の電圧を出力する出力端子４０とを備えている。第１回路部１０には、電源１１０が接続されている。また、第２回路部２０は、グランド（接地端子）１２０に接続されている。出力端子４０は、ＤＶＤレコーダやデジタルテレビ受信機などのマイコン５０の所定の入力ポートに接続されている。第１実施形態では、この出力端子４０から出力される異なる９種類の電圧の大きさに基づいて、９個のスイッチ３０ａ〜３０ｉのうちのいずれのスイッチがオン状態にされたかをマイコン（マイクロコンピュータ）５０が判定することが可能なように構成されている。第１実施形態では、ＤＶＤレコーダやデジタルテレビ受信機の操作部に設けられる各種の操作キーにこれらのスイッチ３０ａ〜３０ｉを対応させて用いることにより、マイコン５０側がユーザの操作キー入力（スイッチ３０ａ〜３０ｉのオンおよびオフ）を受け付けることが可能なように構成されている。電源１１０は、第１回路部１０の端部に接続されている。電源１１０は、所定の電圧Ｖ０を入力回路１００に入力するように構成されている。第１実施形態では、電源１１０は、Ｖ０＝３．３［Ｖ］の定電圧源として説明する。なお、グランド（接地端子）１２０は、本発明の「接地端子」の一例である。また、マイコン５０は、本発明の「判定部」の一例である。
【００２３】
また、第１回路部１０は、３つの抵抗素子１１、１２および１３を含んでいる。第１回路部１０の抵抗素子１１〜１３は、電源１１０側から抵抗素子１１、１２および１３の順で直列接続されている。すなわち、抵抗素子１１の一方端子１１ａは、電源１１０に接続されており、抵抗素子１１の他方端子１１ｂは、ノードＮ１を介して抵抗素子１２の一方端子１２ａに接続されている。抵抗素子１２の他方端子１２ｂは、ノードＮ２を介して抵抗素子１３の一方端子１３ａに接続されている。また、抵抗素子１３の他方端子１３ｂは、ノードＮ３に接続されている。第１実施形態では、抵抗素子１１、抵抗素子１２および抵抗素子１３の抵抗値は、それぞれ、Ｒ０（約１０ｋΩ）、Ｒ３（約４ｋΩ）およびＲ４（約４ｋΩ）である。また、抵抗素子１１の他方端子１１ｂと抵抗素子１２の一方端子１２ａとの間のノードＮ１には、出力端子４０が接続されている。ノードＮ１〜Ｎ３は、スイッチ３０ａ〜３０ｉのうちの３つとそれぞれ接続されている。具体的には、ノードＮ１は、スイッチ３０ａ、３０ｂおよび３０ｇと接続されている。また、ノードＮ２は、スイッチ３０ｃ、３０ｄおよび３０ｈと接続されている。ノードＮ３は、スイッチ３０ｅ、３０ｆおよび３０ｉと接続されている。なお、抵抗素子１１は、本発明の「第１抵抗素子」の一例である。また、抵抗素子１２および１３は、それぞれ、本発明の「第２抵抗素子」の一例である。また、スイッチ３０ａ〜３０ｉは、それぞれ、本発明の「個別スイッチ」および「押下げスイッチ」の一例である。
【００２４】
第２回路部２０は、第１回路部１０に対して並列的に設けられるとともに、２つの抵抗素子２１および２２を含んでいる。抵抗素子２１および２２は、グランド（接地端子）１２０に対して直列に接続されている。すなわち、抵抗素子２１の一方端子２１ａは、ノードＮ６に接続されており、抵抗素子２１の他方端子２１ｂは、ノードＮ５を介して抵抗素子２２の一方端子２２ａに接続されている。抵抗素子２２の他方端子２２ｂは、ノードＮ４を介してグランド（接地端子）１２０に接続されている。第１実施形態では、抵抗素子２１および抵抗素子２２の抵抗値は、それぞれ、Ｒ１（約１２ｋΩ）およびＲ２（約２ｋΩ）である。ノードＮ４〜Ｎ６は、スイッチ３０ａ〜３０ｉのうちの３つのスイッチとそれぞれ接続されている。具体的には、ノードＮ４は、スイッチ３０ａ、３０ｃおよび３０ｅと接続されている。また、ノードＮ５は、スイッチ３０ｂ、３０ｄおよび３０ｆと接続されている。ノードＮ６は、スイッチ３０ｇ、３０ｈおよび３０ｉと接続されている。なお、抵抗素子２１および２２は、それぞれ、本発明の「第２抵抗素子」の一例である。
【００２５】
なお、第１実施形態では、第１回路部１０の出力端子４０に対してグランド１２０側に設けられる抵抗素子（抵抗素子１２および１３）の数と、第２回路部２０の抵抗素子２１および２２の数との差が０になるように構成されている。
【００２６】
９個のスイッチ３０ａ〜３０ｉは、それぞれ、一組の固定接点および可動接点を含むとともに、各々の組の可動接点を対応する固定接点に接続することにより接続状態になるように構成されている。各スイッチ３０ａ〜３０ｉは、それぞれ、第１回路部１０の全てのノードＮ１〜Ｎ３の内のいずれかと、第２回路部２０の全てのノードＮ４〜Ｎ６の内のいずれかとを一対ずつそれぞれ個別に接続されている。また、各スイッチ３０ａ〜３０ｉは、通常状態で非接続状態となるように構成された押下げスイッチ（いわゆるａ接点）である。つまり、ユーザによりスイッチ３０ａ〜３０ｉの内のいずれかが押下げられた時にだけ、押下げられたスイッチ（３０ａ〜３０ｉのいずれか）が第１回路部１０と第２回路部２０とを電気的に接続するように構成されている。このため、入力回路１００は、ユーザからの入力（スイッチの押下げ）があって初めて、電源１１０からグランド１２０に至る電気経路が形成されるように構成されている。
【００２７】
各スイッチ３０ａ〜３０ｉは、それぞれ、第１回路部１０のノードＮ１〜Ｎ３の内のいずれかと、第２回路部２０のノードＮ４〜Ｎ６の内のいずれかとを一対ずつ個別に接続することにより、電源１１０からグランド１２０に至る互いに異なる電気経路を個別に形成可能に構成されている。このとき、ノードＮ１〜Ｎ３に接続された抵抗素子（１１、１２または１３）の一方端子（１２ａまたは１３ａ）および他方端子（１１ｂ、１２ｂまたは１３ｂ）の一方と、ノードＮ４〜Ｎ６に接続された抵抗素子（２１または２２）の一方端子（２１ａまたは２２ａ）および他方端子（２１ｂまたは２２ｂ）の一方とが、スイッチ（３０ａ〜３０ｉの内のいずれか）によって接続されるように構成されている。すなわち、９個のスイッチ３０ａ〜３０ｉの内のいずれか１つを接続状態（オン状態）にした場合に、第１回路部１０においてスイッチ３０ａ〜３０ｉの接続位置（ノードＮ１〜Ｎ３のいずれか）よりも電源１１０側に配置された抵抗素子（１１、１２および１３）と、第２回路部２０においてスイッチ３０ａ〜３０ｉの接続位置（ノードＮ４〜Ｎ６のいずれか）よりもグランド１２０側に配置された抵抗素子（２１、２２）とを通る電気経路が形成される。
【００２８】
このような構成により、複数のスイッチ３０ａ〜３０ｉのいずれかが押下げられて第１回路部１０と第２回路部２０とが接続されると、電源１１０からグランド１２０に至る電気経路上に配置される抵抗素子１２、１３、２１および２２の組み合わせが変更されるように構成されている。つまり、電気経路が形成されると、出力端子４０に対して電源１１０側の抵抗素子１１と、出力端子４０に対してグランド１２０側の抵抗素子１２、１３、２１および２２の組み合わせとにより電源１１０の電圧が分圧される。その結果、抵抗素子１１の抵抗値Ｒ０とグランド１２０側の各抵抗素子１２、１３、２１および２２の合成抵抗値との比に応じた大きさの電圧が、出力端子４０から出力されるように構成されている。ここで、いずれのスイッチ３０ａ〜３０ｉを押下げた場合でも電源１１０側の抵抗素子１１の抵抗値Ｒ０は不変であるから、出力端子４０からの出力電圧は、接続されるそれぞれの電気経路上に配置された抵抗素子１２、１３、２１および２２（出力端子４０に対してグランド１２０側の抵抗素子）の組み合わせによる合成抵抗値Ｒｘによって決定される。すなわち、出力端子４０からマイコン５０に出力される電圧は、ＲｘＶ０／（Ｒ０＋Ｒｘ）となる。そして、第１実施形態では、入力回路１００は、いずれのスイッチ３０ａ〜３０ｉを押下げた場合でも、接続されるそれぞれの電気経路上に配置された抵抗素子１２、１３、２１および２２（出力端子４０に対してグランド１２０側の抵抗素子）の組み合わせによる合成抵抗値Ｒｘが互いに異なるように構成されている。このようにして、マイコン５０側で出力端子４０の出力電圧を検出することにより、いずれのスイッチ３０ａ〜３０ｉが押下げられたかを判定することが可能となる。
【００２９】
また、図１に示すように、出力端子４０は、９個のスイッチ３０ａ〜３０ｉの内の１つのスイッチ（３０ａ〜３０ｉのいずれか）の可動接点が対応する固定接点に接続されることにより電気経路が形成される場合に、出力端子４０に対して電源１１０側の抵抗素子１１と出力端子４０に対してグランド１２０側の電気経路上の抵抗素子１２、１３、２１および２２との組み合わせによって分圧された電源１１０の電圧をマイコン５０に出力するように構成されている。
【００３０】
マイコン５０は、出力端子４０から出力される電圧の大きさに基づいて、９個のスイッチ３０ａ〜３０ｉのうち、いずれのスイッチが押下げられたかを判定するように構成されている。マイコン５０は、たとえば出力端子４０から出力された電圧が約１．２４［Ｖ］である場合には、スイッチ３０ｄが押下げられたと判定する。このようにして、マイコン５０は、各スイッチ３０ａ〜３０ｉに対応付けられた操作キー（電源ボタン、音量調節キー、チャンネル操作キー、録画キーおよび再生キーなど）のいずれが押下げられたかを判定することが可能である。
【００３１】
次に、図１および図２を参照して、本発明の第１実施形態による入力回路１００の動作を説明する。
【００３２】
図１に示すように、スイッチ３０ａをオン状態にすることにより、第１回路部１０のノードＮ１と第２回路部２０のノードＮ４とが接続され、出力端子４０がグランド１２０に接続される。これにより、図２に示すように、マイコン５０の入力ポートにより検出される電圧（出力端子４０から出力される電圧）は、約０［Ｖ］となる。
【００３３】
また、スイッチ３０ｂをオン状態にすることにより、第１回路部１０のノードＮ１と第２回路部２０のノードＮ５とが接続され、入力回路１００に抵抗素子１１および２２を通る電気経路が形成される。このとき、出力端子４０に対してグランド１２０側の電気経路（抵抗素子２２）の抵抗値は、Ｒ２＝約２ｋΩとなる。これにより、マイコン５０の入力ポートにより検出される電圧（出力端子４０から出力される電圧）は、約０．５５［Ｖ］となる。
【００３４】
また、スイッチ３０ｃをオン状態にすることにより、第１回路部１０のノードＮ２と第２回路部２０のノードＮ４とが接続され、入力回路１００に抵抗素子１１および１２を通る電気経路が形成される。このとき、出力端子４０に対してグランド１２０側の電気経路（抵抗素子１２）の抵抗値は、Ｒ３＝約４ｋΩとなる。これにより、出力端子４０から出力される電圧は、約０．９４［Ｖ］となる。
【００３５】
また、スイッチ３０ｄをオン状態にすることにより、第１回路部１０のノードＮ２と第２回路部２０のノードＮ５とが接続され、入力回路１００に抵抗素子１１、１２および２２を通る電気経路が形成される。このとき、出力端子４０に対してグランド１２０側の電気経路の合成抵抗値は、Ｒｘ＝Ｒ２＋Ｒ３＝約６ｋΩとなる。これにより、出力端子４０から出力される電圧は、約１．２４［Ｖ］となる。
【００３６】
また、スイッチ３０ｅをオン状態にすることにより、第１回路部１０のノードＮ３と第２回路部２０のノードＮ４とが接続され、入力回路１００に抵抗素子１１、１２および１３を通る電気経路が形成される。このとき、出力端子４０に対してグランド１２０側の電気経路の合成抵抗値は、Ｒｘ＝Ｒ３＋Ｒ４＝約８ｋΩとなる。これにより、出力端子４０から出力される電圧は、約１．４７［Ｖ］となる。
【００３７】
また、スイッチ３０ｆをオン状態にすることにより、第１回路部１０のノードＮ３と第２回路部２０のノードＮ５とが接続され、入力回路１００に抵抗素子１１、１２、１３および２２を通る電気経路が形成される。このとき、出力端子４０に対してグランド１２０側の電気経路の合成抵抗値は、Ｒｘ＝Ｒ２＋Ｒ３＋Ｒ４＝約１０ｋΩとなる。これにより、出力端子４０から出力される電圧は、約１．６５［Ｖ］となる。
【００３８】
また、スイッチ３０ｇをオン状態にすることにより、第１回路部１０のノードＮ１と第２回路部２０のノードＮ６とが接続され、入力回路１００に抵抗素子１１、２１および２２を通る電気経路が形成される。このとき、出力端子４０に対してグランド１２０側の電気経路の合成抵抗値は、Ｒｘ＝Ｒ１＋Ｒ２＝約１４ｋΩとなる。これにより、出力端子４０から出力される電圧は、約１．９３［Ｖ］となる。
【００３９】
また、スイッチ３０ｈをオン状態にすることにより、第１回路部１０のノードＮ２と第２回路部２０のノードＮ６とが接続され、入力回路１００に抵抗素子１１、１２、２１および２２を通る電気経路が形成される。このとき、出力端子４０に対してグランド１２０側の電気経路の合成抵抗値は、Ｒｘ＝Ｒ１＋Ｒ２＋Ｒ３＝約１８ｋΩとなる。これにより、出力端子４０から出力される電圧は、約２．１２［Ｖ］となる。
【００４０】
また、スイッチ３０ｉをオン状態にすることにより、第１回路部１０のノードＮ３と第２回路部２０のノードＮ６とが接続され、入力回路１００に全ての抵抗素子１１、１２、１３、２１および２２を通る電気経路が形成される。このとき、出力端子４０に対してグランド１２０側の電気経路の合成抵抗値は、Ｒｘ＝Ｒ１＋Ｒ２＋Ｒ３＋Ｒ４＝約２２ｋΩとなる。これにより、出力端子４０から出力される電圧は、約２．２７［Ｖ］となる。
【００４１】
なお、スイッチ３０ａ〜３０ｉがいずれも押下げられない状態（オフ状態）では、第１回路部１０と第２回路部２０とが電気的に接続されないので、出力端子４０から出力される電圧は、電源１１０の電圧と同じＶ０（約３．３［Ｖ］）となる。このように、第１実施形態では、スイッチ３０ａ〜３０ｉのそれぞれによって、電気経路上に配置される抵抗素子１１、１２、２１および２２の組み合わせをそれぞれ変更することにより、押下げられた１つのスイッチ３０ａ〜３０ｉに対応した大きさの電圧が出力端子４０より出力される。
【００４２】
第１実施形態では、上記のように、電源１１０に接続され、３つの抵抗素子１１、１２および１３を含む第１回路部１０と、第１回路部１０に対して並列的に設けられ、グランド（接地端子）１２０に接続される２つの抵抗素子２１および２２を含む第２回路部２０とを設けるとともに、９個のスイッチ３０ａ〜３０ｉにより、第１回路部１０の抵抗素子１１、１２および１３をそれぞれ接続するノードＮ１〜Ｎ３と、第２回路部２０の抵抗素子２１および２２をそれぞれ接続するノードＮ４〜Ｎ６とを一対ずつそれぞれ個別に接続することにより、９通りの異なる電気経路をそれぞれ個別に形成する。このように構成することによって、９個のスイッチ３０ａ〜３０ｉの内のいずれか１つを接続状態（オン状態）にした場合に、第１回路部１０においてスイッチ３０ａ〜３０ｉの接続位置（ノードＮ１〜Ｎ３のいずれか）よりも電源１１０側に配置された抵抗素子と、第１回路部１０に対して並列的に設けられた第２回路部２０においてスイッチ３０ａ〜３０ｉの接続位置（ノードＮ４〜Ｎ６のいずれか）よりもグランド１２０側に配置された抵抗素子とを通る電気経路が形成されることになる。この結果、入力回路１００全体としては、いずれかのスイッチ３０ａ〜３０ｉを接続状態にすることによって電源１１０の電圧を分圧するための抵抗素子（１２、１３、２１および２２）の数と、抵抗素子（１２、１３、２１および２２）の組み合わせとを異ならせることができる。これにより、少ない抵抗素子数でも、抵抗素子（１２、１３、２１および２２）の抵抗値Ｒ０〜Ｒ４の組み合わせを適切に設定することにより、これらの抵抗素子（１２、１３、２１および２２）を組み合わせて多くのパターンの電圧（分圧）を出力させることができる。また、１つのスイッチ３０ａ〜３０ｉをオン状態にすることによって互いに異なる１つの電気経路が定まるので、複数のスイッチのオン／オフを組み合わせることがない分、入力操作が容易になる。また、各スイッチ３０ａ〜３０ｉを、それぞれ通常状態で非接続状態となるように構成することによって、複数のスイッチ３０ａ〜３０ｉによって接続された第１回路部１０と第２回路部２０とが通常状態では電気的に接続されることがない。この結果、スイッチ３０ａ〜３０ｉの接続時にのみ電流が流れるので、消費電力が増加するのを抑制することができる。
【００４３】
また、第１実施形態では、上記のように、９個のスイッチ３０ａ〜３０ｉのうちの１つのスイッチ（３０ａ〜３０ｉのいずれか）の可動接点が対応する固定接点に接続されることにより電気経路が形成される場合に、形成される電気経路に対応する第１回路部１０および第２回路部２０のそれぞれの抵抗素子１２〜２２により電源１１０の電圧Ｖ０が分圧されることよって、押下げられた１つのスイッチ（３０ａ〜３０ｉのいずれか）に対応した電圧が出力端子４０より出力されるように構成することによって、出力端子４０の電圧を検出することによって、どのスイッチ（３０ａ〜３０ｉのいずれか）がオン状態（接続状態）にされたのかを容易に判定することができる。
【００４４】
また、第１実施形態では、上記のように、スイッチ３０ａ〜３０ｉを押下げスイッチにより構成することによって、一組の固定接点および可動接点を含むとともに、各々の組の可動接点を対応する固定接点に接続することにより接続状態になるように構成され、かつ、通常状態で非接続状態となるように構成されたスイッチ３０ａ〜３０ｉを容易に構成することができる。
【００４５】
また、第１実施形態では、９個のスイッチ３０ａ〜３０ｉのそれぞれによって接続される電気経路上に配置された抵抗素子（１２、１３、２１および２２）の組み合わせをそれぞれ変更することにより、接続状態にされるスイッチ３０ａ〜３０ｉ毎に、接続されるそれぞれの電気経路上に配置された抵抗素子（１２、１３、２１および２２）による合成抵抗値が互いに異なるように構成することによって、９個のスイッチ３０ａ〜３０ｉのそれぞれに応じて出力端子４０に対してグランド１２０側の電気経路の合成抵抗値を変更することができる。いずれか１つのスイッチ３０ａ〜３０ｉによって電源１１０側からグランド１２０側まで抵抗素子１１および抵抗素子（１２、１３、２１および２２）が接続された電気経路が形成されると、出力端子４０からの出力電圧は抵抗素子１１の抵抗値Ｒ０と抵抗素子（１２、１３、２１および２２）の合成抵抗値との比によって決定される。この結果、９個のスイッチ３０ａ〜３０ｉのそれぞれについて出力端子４０から異なる大きさの電圧が出力されることに基づいて、１つ１つのスイッチ３０ａ〜３０ｉをそれぞれ個別に判定することができる。
【００４６】
また、第１実施形態では、上記のように、第１回路部１０の抵抗素子１２および１３のそれぞれのノードＮ１〜Ｎ３を、第２回路部２０の全ての抵抗素子２１および２２のノードＮ４〜Ｎ６に対して、９個のスイッチ３０ａ〜３０ｉによりそれぞれ個別に接続することによって、第１回路部１０の抵抗素子１２および１３と第２回路部２０の抵抗素子２１および２２との組み合わせ可能な全ての組み合わせを、９個のスイッチ３０ａ〜３０ｉによりそれぞれ接続される電気経路の切り替えによって構成することができる。これにより、容易に、少ない抵抗素子（１２、１３、２１および２２）の数でも多くのパターンの電圧（分圧）を出力することができる。
【００４７】
また、第１実施形態では、第１回路部１０の出力端子４０に対してグランド１２０側に配置される抵抗素子（１２および１３）の数（２つ）と、第２回路部２０の出力端子４０に対してグランド１２０側に配置される抵抗素子（２１および２２）の数（２つ）との差が０となるように構成することによって、第１回路部１０の出力端子４０に対してグランド１２０側に配置される抵抗素子の数と第２回路部２０の出力端子４０に対してグランド１２０側に配置される抵抗素子の数との差が２より大きい場合に比べて、各ノードＮ１〜Ｎ６を一対ずつそれぞれ個別に接続することにより形成される電気経路上に配置可能な抵抗素子（１２、１３、２１および２２）の組み合わせ（９通り）をより多くすることができる。これにより、各抵抗素子（１２、１３、２１および２２）の抵抗値をそれぞれ適切に設定することによって、電気経路上に配置された抵抗素子（１２、１３、２１および２２）の組み合わせによってそれぞれ異なる大きさの電圧を出力端子４０から出力させることができる。すなわち、異なる大きさの電圧を出力端子４０から出力させることにより判定可能なスイッチ３０ａ〜３０ｉの数（９個）を、より多くすることができる。
【００４８】
また、第１実施形態では、出力端子４０に接続されるとともに、出力端子４０から出力される電圧の大きさに基づいて、９個のスイッチ３０ａ〜３０ｉのうちのいずれのスイッチ（３０ａ〜３０ｉ）が接続状態にされたかを判定するマイコン５０を設けることによって、９個のスイッチ３０ａ〜３０ｉのそれぞれにより互いに異なる大きさの電圧を出力端子４０から出力するように構成した場合に、いずれのスイッチ（３０ａ〜３０ｉ）がオン状態にされたか（接続状態にされたか）をマイコン５０によって容易に判定することができる。
【００４９】
（第２実施形態）
次に、図３および図４を参照して、本発明の第２実施形態による入力回路２００について説明する。この第２実施形態では、合計５つの抵抗素子（１１〜１３、２１および２２）を用いて９個のスイッチ３０ａ〜３０ｉにそれぞれ対応した出力電圧を出力するように構成した上記第１実施形態と異なり、合計６つの抵抗素子（１１、２１２〜２１４、２２１および２２２）を用いて１２個のスイッチ２３０ａ〜２３０ｌにそれぞれ対応した出力電圧を出力するように構成した例について説明する。
【００５０】
第２実施形態では、図３に示すように、入力回路２００の第１回路部２１０（破線部参照）は、出力端子４０に対して電源１１０側に設けられた１つの抵抗素子１１と、出力端子４０に対してグランド１２０側に設けられた３つの抵抗素子２１２、２１３および２１４とを含んでいる。グランド１２０側の３つの抵抗素子２１２、２１３および２１４は、電源１１０側から抵抗素子２１２、２１３および２１４の順で直列に接続されている。すなわち、抵抗素子１１の一方端子１１ａは、電源１１０に接続されており、抵抗素子１１の他方端子１１ｂは、ノードＮ１１を介して抵抗素子２１２の一方端子２１２ａに接続されている。抵抗素子２１２の他方端子２１２ｂは、ノードＮ１２を介して抵抗素子２１３の一方端子２１３ａに接続されている。また、抵抗素子２１３の他方端子２１３ｂは、ノードＮ１３を介して抵抗素子２１４の一方端子２１４ａに接続されている。また、抵抗素子２１４の他方端子２１４ｂは、ノードＮ１４に接続されている。第２実施形態では、抵抗素子２１２、２１３および２１４の抵抗値は、それぞれ、Ｒ７（約５ｋΩ）、Ｒ８（約５ｋΩ）およびＲ９（約５ｋΩ）である。抵抗素子２１２の電源１１０側のノードＮ１１は、スイッチ２３０ａ、２３０ｂおよび２３０ｉと接続されている。また、ノードＮ１２は、スイッチ２３０ｃ、２３０ｄおよび２３０ｊと接続されている。ノードＮ１３は、スイッチ２３０ｅ、２３０ｆおよび２３０ｋと接続されている。そして、ノードＮ１４は、スイッチ２３０ｇ、２３０ｈおよび２３０ｌと接続されている。なお、抵抗素子２１２、２１３および２１４は、それぞれ、本発明の「第２抵抗素子」の一例である。また、スイッチ２３０ａ〜２３０ｌは、それぞれ、本発明の「個別スイッチ」および「押下げスイッチ」の一例である。
【００５１】
第２回路部２２０（破線部参照）は、第１回路部２１０に対して並列的に設けられるとともに２つの抵抗素子２２１および２２２を含んでいる。抵抗素子２２１および２２２は、グランド（接地端子）１２０に対して直列に接続されている。すなわち、抵抗素子２２１の一方端子２２１ａは、ノードＮ１７に接続されており、抵抗素子２２１の他方端子２２１ｂは、ノードＮ１６を介して抵抗素子２２２の一方端子２２２ａに接続されている。抵抗素子２２２の他方端子２２２ｂは、ノードＮ１５を介してグランド（接地端子）１２０に接続されている。第２実施形態では、抵抗素子２２１および抵抗素子２２２の抵抗値は、それぞれ、Ｒ５（約２０ｋΩ）およびＲ６（約２．５ｋΩ）である。抵抗素子２２２のグランド１２０側のノードＮ１５は、スイッチ２３０ａ、２３０ｃ、２３０ｅおよび２３０ｇと接続されている。また、ノードＮ１６は、スイッチ２３０ｂ、２３０ｄ、２３０ｆおよび２３０ｈと接続されている。ノードＮ１７は、スイッチ２３０ｉ、２３０ｊ、２３０ｋおよび２３０ｌと接続されている。なお、抵抗素子２２１および２２２は、それぞれ、本発明の「第２抵抗素子」の一例である。
【００５２】
なお、第２実施形態では、第１回路部２１０の出力端子４０に対してグランド１２０側に設けられる抵抗素子（抵抗素子２１２、２１３および２１４）の数（３つ）と、第２回路部２２０の抵抗素子２２１および２２２の数（２つ）との差が１になるように構成されている。
【００５３】
１２個のスイッチ２３０ａ〜２３０ｌは、それぞれ、第１回路部２１０の全てのノードＮ１１〜Ｎ１４の内のいずれかと、第２回路部２２０の全てのノードＮ１５〜Ｎ１７の内のいずれかとを一対ずつそれぞれ個別に接続されている。各スイッチ２３０ａ〜２３０ｌは、それぞれ、第１回路部２１０のノードＮ１１〜Ｎ１４の内のいずれかと、第２回路部２２０のノードＮ１５〜Ｎ１７の内のいずれかとを一対ずつ個別に接続することにより、電源１１０からグランド１２０に至る互いに異なる電気経路を個別に形成可能に構成されている。すなわち、１２個のスイッチ２３０ａ〜２３０ｌの内のいずれか１つを接続状態（オン状態）にした場合に、第１回路部２１０においてスイッチ２３０ａ〜２３０ｌの接続位置（ノードＮ１１〜Ｎ１４のいずれか）よりも電源１１０側に配置された抵抗素子（１１、２１２、２１３および２１４）と、第２回路部２２０においてスイッチ２３０ａ〜２３０ｌの接続位置（ノードＮ１５〜Ｎ１７のいずれか）よりもグランド１２０側に配置された抵抗素子（２２１、２２２）とを通る電気経路が形成される。また、第２実施形態では、入力回路２００は、いずれのスイッチ２３０ａ〜２３０ｌを押下げた場合でも、接続されるそれぞれの電気経路上に配置された抵抗素子２１２、２１３、２１４、２２１および２２２（出力端子４０に対してグランド１２０側の抵抗素子）の組み合わせによる合成抵抗値Ｒｘが互いに異なるように構成されている。
【００５４】
なお、第２実施形態のその他の構成は、上記第１実施形態と同様である。
【００５５】
次に、図３および図４を参照して、本発明の第２実施形態による入力回路２００の動作を説明する。
【００５６】
図４に示すように、スイッチ２３０ａ〜２３０ｌがいずれも押下げられない状態（オフ状態）では、第１回路部２１０と第２回路部２２０とが電気的に接続されないので、出力端子４０から出力される電圧は、電源１１０の電圧と同じＶ０（約３．３［Ｖ］）となる。
【００５７】
図３に示すように、スイッチ２３０ａをオン状態にすることにより、第１回路部２１０のノードＮ１１と第２回路部２２０のノードＮ１５とが接続され、出力端子４０がグランド１２０に接続される。これにより、図３に示すように、マイコン５０の入力ポートにより検出される電圧（出力端子４０から出力される電圧）は、約０［Ｖ］となる。
【００５８】
また、スイッチ２３０ｂをオン状態にすることにより、第１回路部２１０のノードＮ１１と第２回路部２２０のノードＮ１６とが接続され、入力回路２００に抵抗素子１１および２２２を通る電気経路が形成される。このとき、出力端子４０に対してグランド１２０側の電気経路（抵抗素子２２２）の抵抗値は、Ｒ６＝約２．５ｋΩとなる。これにより、マイコン５０の入力ポートにより検出される電圧（出力端子４０から出力される電圧）は、約０．６６［Ｖ］となる。
【００５９】
また、スイッチ２３０ｃをオン状態にすることにより、第１回路部２１０のノードＮ１２と第２回路部２２０のノードＮ１５とが接続され、入力回路２００に抵抗素子１１および２１２を通る電気経路が形成される。このとき、出力端子４０に対してグランド１２０側の電気経路（抵抗素子２１２）の抵抗値は、Ｒ７＝約５ｋΩとなる。これにより、出力端子４０から出力される電圧は、約１．１［Ｖ］となる。
【００６０】
また、スイッチ２３０ｄをオン状態にすることにより、第１回路部２１０のノードＮ１２と第２回路部２２０のノードＮ１６とが接続され、入力回路２００に抵抗素子１１、２１２および２２２を通る電気経路が形成される。このとき、出力端子４０に対してグランド１２０側の電気経路の合成抵抗値は、Ｒｘ＝Ｒ６＋Ｒ７＝約７．５ｋΩとなる。これにより、出力端子４０から出力される電圧は、約１．４１［Ｖ］となる。
【００６１】
また、スイッチ２３０ｅをオン状態にすることにより、第１回路部２１０のノードＮ１３と第２回路部２２０のノードＮ１５とが接続され、入力回路２００に抵抗素子１１、２１２および２１３を通る電気経路が形成される。このとき、出力端子４０に対してグランド１２０側の電気経路の合成抵抗値は、Ｒｘ＝Ｒ７＋Ｒ８＝約１０ｋΩとなる。これにより、出力端子４０から出力される電圧は、約１．６５［Ｖ］となる。
【００６２】
また、スイッチ２３０ｆをオン状態にすることにより、第１回路部２１０のノードＮ１３と第２回路部２２０のノードＮ１６とが接続され、入力回路２００に抵抗素子１１、２１２、２１３および２２２を通る電気経路が形成される。このとき、出力端子４０に対してグランド１２０側の電気経路の合成抵抗値は、Ｒｘ＝Ｒ６＋Ｒ７＋Ｒ８＝約１２．５ｋΩとなる。これにより、出力端子４０から出力される電圧は、約１．８３［Ｖ］となる。
【００６３】
また、スイッチ２３０ｇをオン状態にすることにより、第１回路部２１０のノードＮ１４と第２回路部２２０のノードＮ１５とが接続され、入力回路２００に抵抗素子１１、２１２、２１３および２１４を通る電気経路が形成される。このとき、出力端子４０に対してグランド１２０側の電気経路の合成抵抗値は、Ｒｘ＝Ｒ７＋Ｒ８＋Ｒ９＝約１５ｋΩとなる。これにより、出力端子４０から出力される電圧は、約１．９８［Ｖ］となる。
【００６４】
また、スイッチ２３０ｈをオン状態にすることにより、第１回路部２１０のノードＮ１４と第２回路部２２０のノードＮ１６とが接続され、入力回路２００に抵抗素子１１、２１２、２１３、２１４および２２２を通る電気経路が形成される。このとき、出力端子４０に対してグランド１２０側の電気経路の合成抵抗値は、Ｒｘ＝Ｒ６＋Ｒ７＋Ｒ９＝約１７．５ｋΩとなる。これにより、出力端子４０から出力される電圧は、約２．１［Ｖ］となる。
【００６５】
また、スイッチ２３０ｉをオン状態にすることにより、第１回路部２１０のノードＮ１１と第２回路部２２０のノードＮ１７とが接続され、入力回路２００に抵抗素子１１、２２１および２２２を通る電気経路が形成される。このとき、出力端子４０に対してグランド１２０側の電気経路の合成抵抗値は、Ｒｘ＝Ｒ５＋Ｒ６＝約２２．５ｋΩとなる。これにより、出力端子４０から出力される電圧は、約２．２８［Ｖ］となる。
【００６６】
また、スイッチ２３０ｊをオン状態にすることにより、第１回路部２１０のノードＮ１２と第２回路部２２０のノードＮ１７とが接続され、入力回路２００に抵抗素子１１、２１２、２２１および２２２を通る電気経路が形成される。このとき、出力端子４０に対してグランド１２０側の電気経路の合成抵抗値は、Ｒｘ＝Ｒ５＋Ｒ６＋Ｒ７＝約２７．５ｋΩとなる。これにより、出力端子４０から出力される電圧は、約２．４２［Ｖ］となる。
【００６７】
また、スイッチ２３０ｋをオン状態にすることにより、第１回路部２１０のノードＮ１３と第２回路部２２０のノードＮ１７とが接続され、入力回路２００に抵抗素子１１、２１２、２１３、２２１および２２２を通る電気経路が形成される。このとき、出力端子４０に対してグランド１２０側の電気経路の合成抵抗値は、Ｒｘ＝Ｒ５＋Ｒ６＋Ｒ７＋Ｒ８＝約３２．５ｋΩとなる。これにより、出力端子４０から出力される電圧は、約２．５２［Ｖ］となる。
【００６８】
また、スイッチ２３０ｌをオン状態にすることにより、第１回路部２１０のノードＮ１４と第２回路部２２０のノードＮ１７とが接続され、入力回路２００に全ての抵抗素子１１、２１２、２１３、２１４、２２１および２２２を通る電気経路が形成される。このとき、出力端子４０に対してグランド１２０側の電気経路の合成抵抗値は、Ｒｘ＝Ｒ５＋Ｒ６＋Ｒ７＋Ｒ８＋Ｒ９＝約３７．５ｋΩとなる。これにより、出力端子４０から出力される電圧は、約２．６１Ｖ］となる。
【００６９】
このように、１２個のスイッチ２３０ａ〜２３０ｌのそれぞれによって、電気経路上に配置される抵抗素子１１、２１２、２１２、２１３、２２１および２２２の組み合わせをそれぞれ変更することにより、オン状態にされた１つのスイッチ２３０ａ〜２３０ｌに対応した大きさの電圧が出力端子４０より出力される。
【００７０】
第２実施形態では、上記のように、４つの抵抗素子１１、２１２、２１３および２１４を含む第１回路部２１０と、第１回路部２１０に対して並列的に設けられ、２つの抵抗素子２２１および２２２を含む第２回路部２２０とを設けるとともに、１２個のスイッチ２３０ａ〜２３０ｌにより、第１回路部２１０の抵抗素子１１および２１２〜２１４をそれぞれ接続するノードＮ１１〜Ｎ１４と、第２回路部２２０の抵抗素子２２１および２２２をそれぞれ接続するノードＮ１５〜Ｎ１７とを一対ずつそれぞれ個別に接続することにより、１２通りの異なる電気経路をそれぞれ個別に形成する。このように構成することによって、１２個のスイッチ２３０ａ〜２３０ｌの内のいずれか１つを接続状態（オン状態）にした場合に、第１回路部２１０においてスイッチ２３０ａ〜２３０ｌの接続位置（ノードＮ１１〜Ｎ１４のいずれか）よりも電源１１０側に配置された抵抗素子と、第１回路部２１０に対して並列的に設けられた第２回路部２２０においてスイッチ２３０ａ〜２３０ｌの接続位置（ノードＮ１５〜Ｎ１７のいずれか）よりもグランド１２０側に配置された抵抗素子とを通る電気経路が形成されることになる。この結果、入力回路２００全体としては、いずれかのスイッチ２３０ａ〜２３０ｌを接続状態（オン状態）にすることによって電源１１０の電圧を分圧するための抵抗素子（２１２〜２１４、２２１および２２２）の数と、抵抗素子（２１２〜２１４、２２１および２２２）の組み合わせとを異ならせることができる。これにより、６つの抵抗素子（２１２〜２１４、２２１および２２２）を組み合わせて各スイッチ２３０ａ〜２３０ｌに対応した１２パターンの電圧（分圧）を出力させることができる。
【００７１】
また、第２実施形態では、第１回路部２１０の出力端子４０に対してグランド１２０側に配置される抵抗素子（２１２〜２１４）の数（３つ）と、第２回路部２２０の出力端子４０に対してグランド１２０側に配置される抵抗素子（２２１および２２２）の数（２つ）との差が１となるように構成することによって、ノードＮ１１〜Ｎ１７を一対ずつそれぞれ個別に接続することにより形成される電気経路上に配置可能な抵抗素子（２１２〜２１４、２２１および２２２）の組み合わせ（１２通り）をより多くすることができる。つまり、たとえば出力端子４０に対してグランド１２０側に配置される抵抗素子を第１回路部側で４つ設けるとともに、第２回路部側で１つだけ設ける。この場合、各端子間の接続によって得られる抵抗素子の組み合わせは５×２＝１０通りとなる。これに対して、第１回路部２１０に３つの抵抗素子（２１２〜２１４）を設けるとともに第２回路部２２０で２つの抵抗素子（２２１および２２２）を設けることによって、１２通りの抵抗素子の組み合わせを得ることができる。これにより、電気経路上に配置された抵抗素子（２１２〜２１４、２２１および２２２）の組み合わせによってそれぞれ異なる大きさの電圧を出力端子４０から出力させることができる。すなわち、異なる大きさの電圧を出力端子４０から出力させることにより判定可能なスイッチ２３０ａ〜２３０ｌの数（１２個）を、より多くすることができる。
【００７２】
なお、第２実施形態のその他の効果は、上記第１実施形態と同様である。
【００７３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７４】
たとえば、上記第１および第２実施形態では、本発明の入力回路１００をＤＶＤレコーダやデジタルテレビ受信機の操作部に設けられる各種の操作キーの入力を受け付ける入力回路に適用した例を示したが、本発明はこれに限られない。本発明の入力回路は、ＤＶＤレコーダやデジタルテレビ受信機以外の機器の操作部の入力回路にも広く適用可能である。
【００７５】
また、上記第１および第２実施形態では、スイッチ３０ａ〜３０ｉ（２３０ａ〜２３０ｌ）を通常状態で非接続状態となる押下げスイッチにより構成した例を示したが、本発明はこれに限られない。スイッチは、たとえば押下げスイッチ以外のトグルスイッチなどを用いてもよい。
【００７６】
また、上記第１および第２実施形態では、出力端子４０に対してグランド１２０側の電気経路上の抵抗素子の数および組み合わせを、複数のスイッチを用いて変更するように構成した例を示したが、本発明はこれに限られない。本発明では、出力端子に対して電源側の電気経路上の抵抗素子の数および組み合わせを、複数のスイッチを用いて変更するように構成してもよい。
【００７７】
また、上記第１および第２実施形態では、電源に接続された第１回路部１０に対して、１つの第２回路部２０を並列的に設けた例を示したが、本発明はこれに限られない。本発明では、複数の第２回路部を、第１回路部に対して並列的に設けてもよい。この場合、第１回路部の各ノード（各抵抗素子の一方端子および他方端子の一方）と、複数の第２回路部の各ノード（各抵抗素子の一方端子および他方端子の一方）とをスイッチを用いてそれぞれ個別に接続すればよい。
【００７８】
また、上記第１および第２実施形態では、第１回路部および第２回路部を、抵抗素子が直列接続された各１本の電気経路として構成し、この第１回路部と第２回路部との間を複数のスイッチによりそれぞれ接続するように図示した（図１および図３参照）が、本発明はこれに限られない。たとえば、図５に示す第１実施形態の変形例および図６に示す第２実施形態の変形例のように、第１回路部および第２回路部を、それぞれＡ、ＢおよびＣの３本の並列路を含むように構成し、これらのＡ、ＢおよびＣの並列路をそれぞれスイッチにより接続するように構成してもよい。なお、図５に示す第１実施形態の変形例の入力回路１００ａにおいて、抵抗素子および９個のスイッチには上記第１実施形態の入力回路１００と同一の符号を用いた。各スイッチを押下げた場合の電気経路上の抵抗素子の組み合わせ、および、出力端子から出力される電圧の大きさは、上記第１実施形態と同様となるように構成されている。また、図６に示す第２実施形態の変形例の入力回路２００ａにおいて、抵抗素子および１２個のスイッチには上記第２実施形態の入力回路２００と同一の符号を用いた。各スイッチを押下げた場合の電気経路上の抵抗素子の組み合わせ、および、出力端子から出力される電圧の大きさは、上記第２実施形態と同様となるように構成されている。
【００７９】
また、上記第１実施形態では、入力回路１００に５個の抵抗素子を設けた例を示すとともに、第２実施形態では、入力回路２００に６個の抵抗素子を設けた例を示したが、本発明はこれに限られない。入力回路に用いる抵抗素子の数は、４個以下または７個以上であってもよい。抵抗素子の数は、スイッチの数に応じて決定されればよい。
【００８０】
また、上記第１実施形態では、第１回路部１０の抵抗素子１２および１３のそれぞれの一方端子および他方端子と接続される全てのノードＮ１〜Ｎ３と、第２回路部２０の抵抗素子２１および２２のそれぞれの一方端子および他方端子と接続される全てのノードＮ４〜Ｎ６とを、スイッチ３０ａ〜３０ｉを用いて一対ずつそれぞれ個別に接続した例を示したが、本発明はこれに限られない。本発明では、第１回路部の抵抗素子の全ての端子（全てのノード）と第２回路部の抵抗素子の全ての端子（全てのノード）とを接続する必要はない。入力回路は、第１回路部および第２回路部の一部の端子（ノード）のみを、スイッチを用いて一対ずつそれぞれ個別に接続するように構成してもよい。
【００８１】
また、上記第１実施形態では、第１回路部１０の出力端子４０よりもグランド１２０側の抵抗素子の数と第２回路部２０の抵抗素子の数との差が０となるように構成した例を示し、上記第２実施形態では、第１回路部２１０の出力端子４０よりもグランド１２０側の抵抗素子の数と第２回路部２２０の抵抗素子の数との差が１となるように構成した例を示したが、本発明はこれに限られない。第１回路部の出力端子よりもグランド側の抵抗素子の数と第２回路部の抵抗素子の数との差が２以上となるように構成してもよい。ただし、たとえば上記第１実施形態において、第１回路部１０の出力端子４０よりもグランド１２０側の抵抗素子を１個（端子は２個）だけ設けるとともに、第２回路部２０の抵抗素子を３個（端子は４個）設けるとする。この場合、スイッチにより接続可能な組み合わせとしては、端子２個×端子４個＝８通りとなるので、抵抗素子の数に対するスイッチの数が少なくなる。
【符号の説明】
【００８２】
１０  第１回路部
１１  抵抗素子（第１抵抗素子）
１２、１３、２１、２２、２１２、２１３、２１４、２２１、２２２  抵抗素子（第２抵抗素子）
２０  第２回路部
３０ａ〜３０ｉ、２３０ａ〜２３０ｌ  スイッチ（押下げスイッチ）
４０  出力端子
５０  マイコン（判定部）
１００、１００ａ、２００、２００ａ  入力回路
１１０  電源
１２０  グランド（接地端子）
【図１】
2011023252.tif 000003
【図２】
2011023252.tif 000004
【図３】
2011023252.tif 000005
【図４】
2011023252.tif 000006
【図５】
2011023252.tif 000007
【図６】
2011023252.tif 000008